(57)【要約】【課題】本発明では、無線通信システムにおいてページングのための制御情報を送受信する方法、およびこのための装置が開示される。【解決手段】具体的には、無線通信システムにおいて端末がページングメッセージ（paging message）を受信する方法であって、上記方法は、基地局から上記ページングメッセージに関するダウンリンク制御情報（Downlink Control Information、ＤＣＩ）を受信する段階と、上記ＤＣＩに基づき、上記ページングメッセージを受信する段階と、を有し得る。ここで、上記ＤＣＩは、上記ページングメッセージのためのリソース割り当て（resource allocation）情報および／またはシステム情報（system information）に関する短いメッセージ（short message）を有し、上記リソース割り当て情報および／または上記短いメッセージが上記ＤＣＩに有されるか否かを示す少なくとも一つのビット（bit）を有し得る。【選択図】図１０
2020536454.tif 000002
【特許請求の範囲】
【請求項１】
無線通信システムにおいて端末がページングメッセージ（paging message）を受信する方法であって、
基地局から前記ページングメッセージに関するダウンリンク制御情報（Downlink Control Information、ＤＣＩ）を受信する段階と、
前記ＤＣＩに基づき、前記ページングメッセージを受信する段階と、を有し、
前記ＤＣＩは、前記ページングメッセージのためのリソース割り当て（resource allocation）情報および／またはシステム情報（system information）に関する短いメッセージ（short message）を有し、
前記ＤＣＩは、前記リソース割り当て情報および／または前記短いメッセージが前記ＤＣＩに有されるか否かを示す少なくとも一つのビット（bit）を有する、方法。
【請求項２】
前記短いメッセージは、前記システム情報の変更に関する情報、地震津波警報システム（Earthquake and Tsunami Warning System；ＥＴＷＳ）に関する指示情報および商用携帯警報システム（Commercial Mobile Alert System；ＣＭＡＳ）に関する指示情報のうちの少なくとも一つを有する、請求項１に記載の方法。
【請求項３】
前記地震津波警報システム（Earthquake and Tsunami Warning System；ＥＴＷＳ）に関する指示情報および商用携帯警報システム（Commercial Mobile Alert System；ＣＭＡＳ）に関する指示情報は、システム情報のうち高い優先順位（high priority）に設定される、請求項２に記載の方法。
【請求項４】
前記少なくとも一つのビットの数は、２である、請求項２に記載の方法。
【請求項５】
前記少なくとも一つのビットの値は、ｉ）前記ＤＣＩに前記リソース割り当て情報が有される場合である第１状態（state）、ｉｉ）前記ＤＣＩに前記短いメッセージが有される場合である第２状態、またはｉｉｉ）前記ＤＣＩに前記リソース割り当て情報および前記短いメッセージが有される場合である第３状態を示す、請求項４に記載の方法。
【請求項６】
前記短いメッセージが前記ＤＣＩに有される場合、前記短いメッセージは、前記ＤＣＩによってスケジューリングされる前記ページングメッセージを介して伝達されない、請求項２に記載の方法。
【請求項７】
前記ＤＣＩは、前記ページングメッセージに関するページング無線ネットワーク一時識別子（Paging-Radio Network Temporary Identifier；Ｐ−ＲＮＴＩ）によってスクランブル（scrambling）される、請求項２に記載の方法。
【請求項８】
無線通信システムにおいてページングメッセージ（paging message）を受信する端末であって、
無線信号を送受信するための無線周波（Radio Frequency；ＲＦ）ユニットと、
前記ＲＦユニットと機能的に接続されているプロセッサと、を有し、
前記プロセッサは、
基地局から前記ページングメッセージに関するダウンリンク制御情報（Downlink Control Information、ＤＣＩ）を受信し、
前記ＤＣＩに基づき、前記ページングメッセージを受信するように制御し、
前記ＤＣＩは、前記ページングメッセージのためのリソース割り当て（resource allocation）情報および／またはシステム情報（system information）に関する短いメッセージ（short message）を有し、
前記ＤＣＩは、前記リソース割り当て情報および／または前記短いメッセージが前記ＤＣＩに有されるか否かを示す少なくとも一つのビット（bit）を有する、端末。
【請求項９】
前記短いメッセージは、前記システム情報の変更に関する情報、地震津波警報システム（Earthquake and Tsunami Warning System；ＥＴＷＳ）に関する指示情報および商用携帯警報システム（Commercial Mobile Alert System；ＣＭＡＳ）に関する指示情報のうちの少なくとも一つを有する、請求項８に記載の端末。
【請求項１０】
前記地震津波警報システム（Earthquake and Tsunami Warning System；ＥＴＷＳ）に関する指示情報および商用携帯警報システム（Commercial Mobile Alert System；ＣＭＡＳ）に関する指示情報は、システム情報のうち高い優先順位（high priority）に設定される、請求項９に記載の端末。
【請求項１１】
前記少なくとも一つのビットの数は、２である、請求項９に記載の端末。
【請求項１２】
前記少なくとも一つのビットの値は、ｉ）前記ＤＣＩに前記リソース割り当て情報が有される場合である第１状態（state）、ｉｉ）前記ＤＣＩに前記短いメッセージが有される場合である第２状態、またはｉｉｉ）前記ＤＣＩに前記リソース割り当て情報および前記短いメッセージが有される場合である第３状態を示す、請求項１１に記載の端末。
【請求項１３】
前記短いメッセージが前記ＤＣＩに有される場合、前記短いメッセージは、前記ＤＣＩによってスケジューリングされる前記ページングメッセージを介して伝達されない、請求項９に記載の端末。
【請求項１４】
前記ＤＣＩは、前記ページングメッセージに関するページング無線ネットワーク一時識別子（Paging-Radio Network Temporary Identifier；Ｐ−ＲＮＴＩ）によってスクランブル（scrambling）される、請求項２に記載の端末。
【請求項１５】
無線通信システムにおいてページングメッセージ（paging message）を送信する基地局であって、
無線信号を送受信するための無線周波（Radio Frequency；ＲＦ）ユニットと、
前記ＲＦユニットと機能的に接続されているプロセッサと、を有し、
前記プロセッサは、
端末へ前記ページングメッセージに関するダウンリンク制御情報（Downlink Control Information、ＤＣＩ）を送信し、
前記ＤＣＩに基づき、前記端末へ前記ページングメッセージを送信するように制御し、
前記ＤＣＩは、前記ページングのためのリソース割り当て（resource allocation）情報および／またはシステム情報（system information）に関する短いメッセージ（short message）を有し、
前記ＤＣＩは、前記リソース割り当て情報および／または前記短いメッセージが前記ＤＣＩに有されるか否かを示す少なくとも一つのビット（bit）を有する、基地局。
【発明の詳細な説明】
【技術分野】
【０００１】
本発明は、無線通信システムに関し、より詳細には、ページング（paging）のためのダウンリンク制御情報（downlink control information）を送受信するための方法、およびこれをサポート（支援）する（supporting）装置に関する。
【背景技術】
【０００２】
移動通信システムは、ユーザの活動性を保証しながら音声サービスを提供するために開発された。しかしながら、移動通信システムは、音声だけでなく、データサービスまで領域を拡張し、現在では、爆発的なトラフィックの増加によってリソース（資源）の不足現象が引き起こされ、ユーザがより高速のサービスを要求するので、より発展した移動通信システムが要求されている。
【０００３】
次世代の移動通信システムの要求条件は、概して、爆発的なデータトラフィックへの対応（収容）、ユーザ当たりの送信レート（伝送率）の画期的な増加、大幅に増加した接続（連結）デバイス数への対応、非常に低いエンドツーエンド（端対端）遅延（End-to-End Latency）、高エネルギ効率をサポートできなければならないことなどである。そのために、二重接続（二重連結性）（Dual Connectivity）、大規模多入力多出力（多重入出力）（Massive MIMO：Massive Multiple Input Multiple Output）、全二重（In-band Full Duplex）、非直交多元（多重）接続（ＮＯＭＡ：Non-Orthogonal Multiple Access）、超広帯域（Super wideband）のサポート、端末ネットワーキング（Device Networking）など、多様な技術が研究されている。
【発明の概要】
【発明が解決しようとする課題】
【０００４】
本明細書は、無線通信システムにおいてページング（paging）のためのダウンリンク制御情報（Downlink Control Information、ＤＣＩ）を送受信および設計する方法を提案する。
【０００５】
具体的には、本明細書は、ページングのためのＤＣＩに一部のシステム情報（system information）が含まれるようにまたは含まれないように設定および／または指示する方法を提案する。
【０００６】
本発明で解決しようとする技術的課題は、以上で言及した技術的課題に限定されず、言及しないさらに他の技術的課題は、下の記載から、本発明が属する技術分野で通常の知識を有する者に明確に理解される。
【課題を解決するための手段】
【０００７】
本発明の実施例に係る無線通信システムにおいて端末がページングメッセージ（paging message）を受信する方法であって、この方法は、基地局からページングメッセージに関するダウンリンク制御情報（Downlink Control Information、ＤＣＩ）を受信する段階と、ＤＣＩに基づき、ページングメッセージを受信する段階と、を有し、ＤＣＩは、ページングメッセージのためのリソース割り当て（resource allocation）情報および／またはシステム情報（system information）に関する短いメッセージ（short message）を有し、リソース割り当て情報および／または短いメッセージがＤＣＩに有されるか否かを示す少なくとも一つのビット（bit）を有し得る。
【０００８】
また、本発明の実施例に係る前記方法において、短いメッセージは、システム情報の変更に関する情報、地震津波警報システム（Earthquake and Tsunami Warning System；ＥＴＷＳ）に関する指示情報および商用携帯警報システム（Commercial Mobile Alert System；ＣＭＡＳ）に関する指示情報のうちの少なくとも一つを有し得る。
【０００９】
また、本発明の実施例に係る前記方法において、地震津波警報システム（Earthquake and Tsunami Warning System；ＥＴＷＳ）に関する指示情報および商用携帯警報システム（Commercial Mobile Alert System；ＣＭＡＳ）に関する指示情報は、システム情報のうち高い優先順位（high priority）に設定され得る。
【００１０】
また、本発明の実施例に係る方法において、少なくとも一つのビットの数は、２であってもよい。
【００１１】
また、本発明の実施例に係る方法において、少なくとも一つのビットの値は、ｉ）ＤＣＩにリソース割り当て情報が有される場合である第１状態（state）、ｉｉ）ＤＣＩに短いメッセージが有される場合である第２状態、またはｉｉｉ）ＤＣＩにリソース割り当て情報および短いメッセージが有される場合である第３状態を示し得る。
【００１２】
また、本発明の実施例に係る方法において、短いメッセージがＤＣＩに有される場合、短いメッセージは、ＤＣＩによってスケジューリングされるページングメッセージを介して伝達されないことがある。
【００１３】
また、本発明の実施例に係る方法において、ＤＣＩは、ページングメッセージに関するページング無線ネットワーク一時識別子（Paging-Radio Network Temporary Identifier；Ｐ−ＲＮＴＩ）によってスクランブル（scrambling）され得る。
【００１４】
本発明の実施例に係る無線通信システムにおいてページングメッセージ（paging message）を受信する端末であって、この端末は、無線信号を送受信するための無線周波（Radio Frequency；ＲＦ）ユニットと、ＲＦユニットと機能的に接続（連結）されているプロセッサと、を有し、プロセッサは、基地局からページングメッセージに関するダウンリンク制御情報（Downlink Control Information、ＤＣＩ）を受信し、ＤＣＩに基づき、ページングメッセージを受信するように制御し、ＤＣＩは、ページングメッセージのためのリソース割り当て（resource allocation）情報および／またはシステム情報（system information）に関する短いメッセージ（short message）を有し、ＤＣＩは、リソース割り当て情報および／または短いメッセージがＤＣＩに有されるか否かを示す少なくとも一つのビット（bit）を有し得る。
【００１５】
また、本発明の実施例に係る端末において、短いメッセージは、システム情報の変更に関する情報、地震津波警報システム（Earthquake and Tsunami Warning System；ＥＴＷＳ）に関する指示情報および商用携帯警報システム（Commercial Mobile Alert System；ＣＭＡＳ）に関する指示情報のうちの少なくとも一つを有し得る。
【００１６】
また、本発明の実施例に係る端末において、地震津波警報システム（Earthquake and Tsunami Warning System；ＥＴＷＳ）に関する指示情報および商用携帯警報システム（Commercial Mobile Alert System；ＣＭＡＳ）に関する指示情報に関する指示情報は、システム情報のうち高い優先順位（high priority）に設定され得る。
【００１７】
また、本発明の実施例に係る端末において、少なくとも一つのビットの数は、２であってもよい。
【００１８】
また、本発明の実施例に係る端末において、少なくとも一つのビットの値は、ｉ）ＤＣＩにリソース割り当て情報が有される場合である第１状態（state）、ｉｉ）ＤＣＩに短いメッセージが有される場合である第２状態、またはｉｉｉ）ＤＣＩにリソース割り当て情報および短いメッセージが有される場合である第３状態を示し得る。
【００１９】
また、本発明の実施例に係る端末において、短いメッセージがＤＣＩに有される場合、短いメッセージは、ＤＣＩによってスケジューリングされるページングメッセージを介して伝達されないことがある。
【００２０】
また、本発明の実施例に係る端末において、ＤＣＩは、ページングメッセージに関するページング無線ネットワーク一時識別子（Paging-Radio Network Temporary Identifier；Ｐ−ＲＮＴＩ）によってスクランブル（scrambling）され得る。
【００２１】
本発明の実施例に係る無線通信システムにおいてページングメッセージ（paging message）を送信する基地局であって、基地局は、無線信号を送受信するための無線周波（Radio Frequency；ＲＦ）ユニットと、ＲＦユニットと機能的に接続されているプロセッサと、を有し、プロセッサは、端末へページングメッセージに関するダウンリンク制御情報（Downlink Control Information、ＤＣＩ）を送信し、ＤＣＩに基づき、端末へページングメッセージを送信するように制御し、ＤＣＩは、ページングのためのリソース割り当て（resource allocation）情報および／またはシステム情報（system information）に関する短いメッセージ（short message）を有し、ＤＣＩは、リソース割り当て情報および／または短いメッセージがＤＣＩに有されるか否かを示す少なくとも一つのビット（bit）を有し得る。
【発明の効果】
【００２２】
本発明の実施例によると、ページングのためのＤＣＩにスケジューリング情報のみ含まれるか、短いメッセージのみ含まれる場合以外に、スケジューリング情報および短いメッセージが全て含まれる場合に対しても、効率的なページング動作をサポートすることができるという長所がある。
【００２３】
また、本発明の実施例によると、ページングに関する端末のＰＤＳＣＨデコーディングのオーバーヘッドおよび遅延（delay）が減少することができ、不要なページングメッセージ／ＰＤＳＣＨに対する受信／デコーディング動作が減少することができるという長所がある。
【００２４】
本発明で得られる効果は、以上で言及した効果に制限されず、言及しないさらに他の効果は、以下の記載から、本発明が属する技術分野で通常の知識を有する者に明確に理解される。
【図面の簡単な説明】
【００２５】
【図１】本明細書で提案する方法が適用されることができるＮＲの全体的なシステム構造の一例を示す図である。
【図２】本明細書で提案する方法が適用されることができる無線通信システムにおけるアップリンクフレームとダウンリンクフレームとの間の関係を示す図である。
【図３】ＮＲシステムにおけるフレーム構造の一例を示す図である。
【図４】本明細書で提案する方法が適用されることができるアンテナポートおよびヌメロロジ（numerology）別のリソースグリッドの例を示す図である。
【図５】本明細書で提案する方法が適用されることができるｓｅｌｆ−ｃｏｎｔａｉｎｅｄ  ｓｌｏｔ構造の一例を示した図である。
【図６】本明細書で提案する方法が適用されることができるｓｅｌｆ−ｃｏｎｔａｉｎｅｄ構造の一例を示す図である。
【図７】無線通信システムで適用できるページングのためのＤＣＩフォーマットの例を示す図である。
【図８】本明細書で提案する方法が適用されることができるページングのためのＤＣＩフォーマットの一例を示す図である。
【図９】本明細書で提案する方法が適用されることができるページングのためのＤＣＩフォーマットの別の例を示す図である。
【図１０】本明細書で提案する方法が適用されることができる無線通信システムでページング（paging）を行う端末の動作フローチャートの一例を示す図である。
【図１１】本明細書で提案する方法が適用されることができる無線通信システムでページングメッセージ（paging message）を送信する基地局の動作フローチャートの一例を示す図である。
【図１２】本明細書で提案する方法が適用されることができる無線通信装置のブロック構成図を例示する図である。
【図１３】本明細書で提案する方法が適用されることができる無線通信装置のブロック構成図のさらに他の例を示す図である。
【発明を実施するための形態】
【００２６】
本発明に関する理解を助けるために詳細な説明の一部として含まれる添付図面は、本発明に対する実施形態を提供し、詳細な説明と共に本発明の技術的特徴を説明する。
【００２７】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は、本発明がこのような具体的な細部事項無しでも実施できることが分かる。
【００２８】
幾つかの場合、本発明の概念が曖昧になることを避けるために、公知の構造および装置は省略されるか、または各構造および装置の中核機能を中心としたブロック図形式で図示できる。
【００２９】
本明細書において、基地局は、端末と直接通信を行うネットワークの終端ノード（terminal node）としての意味を有する。本文書で、基地局により行われるものとして説明された特定の動作は、場合によっては、基地局の上位ノード（upper node）により行われることもできる。即ち、基地局を含む複数のネットワークノード（network nodes）からなるネットワークで、端末との通信のために行われる多様な動作は、基地局または基地局以外の他のネットワークノードにより行うことができることは自明である。「基地局（ＢＳ：Base Station）」は、固定局（fixed station）、Ｎｏｄｅ  Ｂ、ｅＮＢ（evolved-NodeB）、ＢＴＳ（Base Transceiver System）、アクセスポイント（ＡＰ：Access Point）、ｇＮＢ（next generation NB、general NB、gNodeB）などの用語により置き換えできる。また、「端末（Terminal）」は、固定されるか、または移動性を有することができ、ＵＥ（User Equipment）、ＭＳ（Mobile Station）、ＵＴ（User Terminal）、ＭＳＳ（Mobile Subscriber Station）、ＳＳ（Subscriber Station）、ＡＭＳ（Advanced Mobile Station）、ＷＴ（Wireless Terminal）、ＭＴＣ（Machine-Type Communication）装置、Ｍ２Ｍ（Machine-to-Machine）装置、Ｄ２Ｄ（Device-to-Device）装置などの用語に置き換えできる。
【００３０】
以下、ダウンリンク（ＤＬ：DownLink）は、基地局から端末への通信を意味し、アップリンク（ＵＬ：UpLink）は、端末から基地局への通信を意味する。ダウンリンクにおいて、送信器は、基地局の一部であり、受信器は、端末の一部でありうる。アップリンクにおいて、送信器は、端末の一部であり、受信器は、基地局の一部でありうる。
【００３１】
以下の説明で使われる特定の用語は、本発明の理解を助けるために提供されたものであり、このような特定の用語の使用は、本発明の技術的思想を逸脱しない範囲で異なる形態に変更できる。
【００３２】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）、ＮＯＭＡ（Non-Orthogonal Multiple Access）などの多様な無線アクセスシステムで利用できる。ＣＤＭＡは、ＵＴＲＡ（Universal Terrestrial Radio Access）やＣＤＭＡ２０００などの無線技術（radio technology）で具現できる。ＴＤＭＡは、ＧＳＭ（Global System for Mobile communications）／ＧＰＲＳ（General Packet Radio Service）／ＥＤＧＥ（Enhanced Data rates for GSM Evolution）などの無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Evolved UTRA）などの無線技術で具現できる。ＵＴＲＡは、ＵＭＴＳ（Universal Mobile Telecommunications System）の一部である。３ＧＰＰ（３rd Generation Partnership Project）ＬＴＥ（Long Term Evolution）は、Ｅ−ＵＴＲＡを使用するＥ−ＵＭＴＳ（evolved UMTS）の一部であって、ダウンリンクでＯＦＤＭＡを採用し、アップリンクでＳＣ−ＦＤＭＡを採用する。ＬＴＥ−Ａ（Advanced）は、３ＧＰＰ  ＬＴＥの進化である。
【００３３】
本発明の実施形態は、無線アクセスシステムであるＩＥＥＥ  ８０２、３ＧＰＰ、および３ＧＰＰ２のうちの少なくとも１つに開示された標準文書により裏付けられる。即ち、本発明の実施形態のうち、本発明の技術的思想を明確に示すために説明しないステップまたは部分は、上記文書により裏付けられる。また、本文書で開示している全ての用語は、上記標準文書により説明できる。
【００３４】
説明を明確にするために、３ＧＰＰ  ＬＴＥ／ＬＴＥ−Ａ／ＮＲ（New RAT）を中心として記述するが、本発明の技術的特徴がこれに制限されるものではない。
【００３５】
スマートフォン（smartphone）およびＩｏＴ（Internet of Things）端末の普及が急速に拡大することによって、通信網を介してやり取りする情報の量が増加している。これに伴って、次世代無線アクセス技術では、既存の通信システム（または既存の無線アクセス技術（radio access technology））よりもさらに多くのユーザに、より早くサービスを提供する環境（例えば、向上した移動広帯域通信（enhanced mobile broadband communication））が考慮される必要がある。
【００３６】
このため、多数の機器および物（object）を接続してサービスを提供するＭＴＣ（Machine Type Communication）を考慮する通信システムのデザインが議論されている。また、通信の信頼性（reliability）および／または遅延（latency）にセンシティブ（敏感）なサービス（service）および／または端末（terminal）などを考慮する通信システム（例えば、ＵＲＬＬＣ（Ultra-Reliable and Low Latency Communication）のデザインも議論されている。
【００３７】
以下、本明細書において、説明の便宜のために、上記次世代無線アクセス技術は、ＮＲ（New RAT、Radio Access Technology）と称され、上記ＮＲが適用される無線通信システムは、ＮＲシステムと称される。
【００３８】
用語の定義
【００３９】
ｅＬＴＥ  ｅＮＢ：ｅＬＴＥ  ｅＮＢは、ＥＰＣおよびＮＧＣに対する接続をサポートするｅＮＢの進化したもの（evolution）である。
【００４０】
ｇＮＢ：ＮＧＣとの接続だけでなく、ＮＲをサポートするノード。
【００４１】
新たなＲＡＮ：ＮＲまたはＥ−ＵＴＲＡをサポートするか、またはＮＧＣと相互作用する無線アクセスネットワーク。
【００４２】
ネットワークスライス（network slice）：ネットワークスライスは、終端間の範囲と共に特定の要求事項を要求する特定の市場シナリオに対して最適化されたソリューションを提供するようにｏｐｅｒａｔｏｒにより定義されたネットワーク。
【００４３】
ネットワーク機能（network function）：ネットワーク機能は、よく定義された外部インターフェースおよびよく定義された機能的動作を有するネットワークインフラ内における論理ノード。
【００４４】
ＮＧ−Ｃ：新たなＲＡＮとＮＧＣとの間のＮＧ２リファレンスポイント（reference point）に使われる制御プレーン（平面）（control plane）インターフェース。
【００４５】
ＮＧ−Ｕ：新たなＲＡＮとＮＧＣとの間のＮＧ３リファレンスポイント（reference point）に使われるユーザプレーン（平面）（user plane）インターフェース。
【００４６】
ノンスタンドアローン（非独立型）（Non-standalone）ＮＲ：ｇＮＢがＬＴＥ  ｅＮＢをＥＰＣに制御プレーン接続のためのアンカとして要求するか、またはｅＬＴＥ  ｅＮＢをＮＧＣに制御プレーン接続のためのアンカとして要求する配置構成。
【００４７】
ノンスタンドアローンＥ−ＵＴＲＡ：ｅＬＴＥ  ｅＮＢがＮＧＣに制御プレーン接続のためのアンカとしてｇＮＢを要求する配置構成。
【００４８】
ユーザプレーンゲートウェイ：ＮＧ−Ｕインターフェースの終端点。
【００４９】
システム一般
【００５０】
図１は、本明細書で提案する方法が適用されることができるＮＲの全体的なシステム構造の一例を示す。
【００５１】
図１を参照すると、ＮＧ−ＲＡＮは、ＮＧ−ＲＡユーザプレーン（新たなＡＳ  ｓｕｂｌａｙｅｒ／ＰＤＣＰ／ＲＬＣ／ＭＡＣ／ＰＨＹ）およびＵＥ（User Equipment）に対する制御プレーン（ＲＲＣ）プロトコル終端を提供するｇＮＢで構成される。
【００５２】
上記ｇＮＢは、Ｘｎインターフェースを通じて相互接続される。
【００５３】
また、上記ｇＮＢは、ＮＧインターフェースを通じてＮＧＣに接続される。
【００５４】
より具体的には、上記ｇＮＢは、Ｎ２インターフェースを通じてＡＭＦ（Access and Mobility management Function）に、Ｎ３インターフェースを通じてＵＰＦ（User Plane Function）に接続される。
【００５５】
ＮＲ（New Rat）ヌメロロジ（Numerology）およびフレーム（frame）構造
【００５６】
ＮＲシステムでは、複数のヌメロロジ（numerology）がサポートされることができる。ここで、ヌメロロジは、サブキャリア間隔（subcarrier spacing）およびＣＰ（Cyclic Prefix）オーバーヘッドにより定義できる。この際、複数のサブキャリア間隔は、基本サブキャリア間隔を整数Ｎ（または、μ）にスケーリング（scaling）することにより導出（誘導）されることができる。また、非常に高い搬送波周波数で非常に低いサブキャリア間隔を利用しないと仮定されても、用いられるヌメロロジは、周波数帯域と独立して選択できる。
【００５７】
また、ＮＲシステムでは、複数のヌメロロジに従う多様なフレーム構造がサポートされることができる。
【００５８】
以下、ＮＲシステムで考慮できるＯＦＤＭ（Orthogonal Frequency Division Multiplexing）ヌメロロジおよびフレーム構造を説明する。
【００５９】
ＮＲシステムでサポートされる複数のＯＦＤＭヌメロロジは、表１のように定義されることができる。
【００６０】
＜表１＞
【表１】
2020536454.tif 000003
【００６１】
ＮＲシステムにおけるフレーム構造（frame structure）と関連して、時間領域の多様なフィールドのサイズは、
2020536454.tif 000004
の時間単位の倍数として表現される。ここで、
2020536454.tif 000005
であり、
2020536454.tif 000006
である。ダウンリンク（downlink）およびアップリンク（uplink）伝送（送信）（transmission）は、
2020536454.tif 000007
の区間を有する無線フレーム（radio frame）で構成される。ここで、無線フレームは、各々
2020536454.tif 000008
の区間を有する１０個のサブフレーム（subframe）で構成される。この場合、アップリンクに対する１セットのフレームおよびダウンリンクに対する１セットのフレームが存在することができる。
【００６２】
図２は、本明細書で提案する方法が適用されることができる無線通信システムにおけるアップリンクフレームとダウンリンクフレームとの間の関係を示す。
【００６３】
図２に示すように、端末（User Equipment、ＵＥ）からのアップリンクフレーム番号ｉの伝送は、該当（corresponding（対応する））端末における該当ダウンリンクフレームの開始より
2020536454.tif 000009
以前に始めなければならない。
【００６４】
ヌメロロジμに対して、スロット（slot）は、サブフレーム内で
2020536454.tif 000010
の増加する順に番号が付けられて、無線フレーム内で
2020536454.tif 000011
の増加する順に番号が付けられる。１つのスロットは、
2020536454.tif 000012
（個）の連続するＯＦＤＭシンボルで構成され、
2020536454.tif 000013
は、用いられるヌメロロジおよびスロット設定（slot configuration）によって決定される。サブフレームでスロット
2020536454.tif 000014
の開始は、同一サブフレームでＯＦＤＭシンボル
2020536454.tif 000015
の開始と時間的に整列される（aligned）（揃えられる）。
【００６５】
全ての端末が同時に送信および受信できるものではなく、これは、ダウンリンクスロット（downlink slot）またはアップリンクスロット（uplink slot）の全てのＯＦＤＭシンボルが利用されることができないことを意味する。
【００６６】
表２は、ノーマル（一般）（normal）ＣＰにおけるスロット別ＯＦＤＭシンボルの個数
2020536454.tif 000016
、無線フレーム別スロットの個数
2020536454.tif 000017
、サブフレーム別スロットの個数
2020536454.tif 000018
を表し、表３は、拡張（extended）ＣＰにおけるスロット別ＯＦＤＭシンボルの個数、無線フレーム別スロットの個数、サブフレーム別スロットの個数を表す。
【００６７】
＜表２＞
【表２】
2020536454.tif 000019
【００６８】
＜表３＞
【表３】
2020536454.tif 000020
【００６９】
図３は、ＮＲシステムにおけるフレーム構造の一例を示す。図３は、単に説明の便宜のためのものであるだけで、本発明の範囲を制限するものではない。
【００７０】
表３の場合、μ＝２である場合、即ち、サブキャリア間隔（SubCarrier Spacing、ＳＣＳ）が６０ｋＨｚである場合の一例であって、表２を参照すると、１（個の）サブフレーム（またはフレーム）は、４個のスロットを含むことができ、図３に示された１（個の）サブフレーム＝｛１、２、４｝（個の）スロットは、一例であって、１（個の）サブフレームに含まれることができるスロットの個数は、表２のように定義され得る。
【００７１】
また、ミニスロット（mini-slot）は、２、４または７（個の）シンボル（symbol）で構成されてもよく、より多いかまたはより少ないシンボルで構成されてもよい。
【００７２】
ＮＲシステムにおける物理リソース（physical resource）と関連して、アンテナポート（antenna port）、リソースグリッド（resource grid）、リソース要素（resource element）、リソースブロック（resource block）、キャリアパート（carrier part）などが考慮されることができる。
【００７３】
以下、ＮＲシステムで考慮できる上記物理リソースに対して具体的に説明する。
【００７４】
まず、アンテナポートと関連して、アンテナポートは、アンテナポート上のシンボルが運搬されるチャネルが、同一のアンテナポート上の他のシンボルが運搬されるチャネルから推論できるように定義される。１つのアンテナポート上のシンボルが運搬されるチャネルの広範囲特性（large-scale property）が、他のアンテナポート上のシンボルが運搬されるチャネルから類推できる場合、２つのアンテナポートは、ＱＣ／ＱＣＬ（Quasi Co-locatedまたはQuasi Co-Location）関係にあるといえる。ここで、上記広範囲特性は、遅延分散（拡散）（Delay spread）、ドップラ拡散（Doppler spread）、周波数シフト（Frequency shift）、平均受信電力（パワー）（Average received power）、受信タイミング（Received Timing）のうちの１つまたは複数を含む。
【００７５】
図４は、本明細書で提案する方法が適用されることができる無線通信システムにおいてサポートされるリソースグリッド（resource grid）の一例を示す。
【００７６】
図４を参照すると、リソースグリッドが、周波数領域上に
2020536454.tif 000021
（個の）サブキャリアで構成され、１つのサブフレームが１４・２μ（個の）ＯＦＤＭシンボルで構成されることを例示的に記述するが、これに限定されるものではない。
【００７７】
ＮＲシステムにおいて、伝送される信号（transmitted signal）は、
2020536454.tif 000022
（個の）サブキャリアで構成される一つもしくは複数のリソースグリッドならびに
2020536454.tif 000023
（個の）のＯＦＤＭシンボルによって説明される。ここで、
2020536454.tif 000024
である。上記
2020536454.tif 000025
は、最大伝送帯域幅を示し、これは、ヌメロロジだけでなく、アップリンクとダウンリンクとの間でも異なることができる。
【００７８】
この場合、図５のように、ヌメロロジμおよびアンテナポートｐごとに１つのリソースグリッドが設定されることができる。
【００７９】
図５は、本明細書で提案する方法が適用されることができるアンテナポートおよびヌメロロジ別のリソースグリッドの例を示す。
【００８０】
ヌメロロジμおよびアンテナポートｐに対するリソースグリッドの各要素は、リソース要素（resource element）と呼ばれており、インデックス対
2020536454.tif 000026
によって一意に識別される。ここで、
2020536454.tif 000027
は、周波数領域上のインデックスであり、
2020536454.tif 000028
は、サブフレーム内におけるシンボルの位置を称する。スロットにおいてリソース要素を称するときは、インデックス対
2020536454.tif 000029
が利用される。ここで、
2020536454.tif 000030
である。
【００８１】
ヌメロロジμおよびアンテナポートｐに対するリソース要素
2020536454.tif 000031
は、複素値（complex value）
2020536454.tif 000032
に該当する。混同（confusion）する虞がない場合、あるいは、特定のアンテナポートまたはヌメロロジが特定されない場合には、インデックスｐおよびμは、ドロップ（drop）されることができ、その結果、複素値は
2020536454.tif 000033
または
2020536454.tif 000034
になることがある。
【００８２】
また、物理リソースブロック（physical resource block）は、周波数領域上の
2020536454.tif 000035
（個）の連続するサブキャリアで定義される。
【００８３】
Ｐｏｉｎｔ  Ａは、リソースブロックグリッドの共通参照点（common reference point）としての役割を担い、次のように獲得されることができる。
【００８４】
−  ＰＣｅｌｌダウンリンクに対するｏｆｆｓｅｔＴｏＰｏｉｎｔＡは、初期セルの選択のためにＵＥによって使用されたＳＳ／ＰＢＣＨブロックと重なる最も低いリソースブロックの最も低いサブキャリアとｐｏｉｎｔ  Ａとの間の周波数オフセットを示し、ＦＲ１に対して１５ｋＨｚのサブキャリア間隔およびＦＲ２に対して６０ｋＨｚのサブキャリア間隔を仮定したリソースブロック単位（unit）で表現される。
【００８５】
−  ａｂｓｏｌｕｔｅＦｒｅｑｕｅｎｃｙＰｏｉｎｔＡは、ＡＲＦＣＮ（Absolute Radio-Frequency Channel Number）のように表現されたｐｏｉｎｔ  Ａの周波数位置を示す。
【００８６】
共通リソースブロック（common resource block）は、サブキャリア間隔の設定μに対する周波数領域で０から上方にナンバリング（numbering）される。
【００８７】
サブキャリア間隔の設定μに対する共通リソースブロック０のサブキャリア０の中心は、「ｐｏｉｎｔ  Ａ」と一致する。周波数領域で共通リソースブロックの番号（number）
2020536454.tif 000036
とサブキャリア間隔の設定μに対するリソース要素（ｋ、ｌ）とは、下記数式１のように与えられ得る。
【００８８】
＜数式１＞
【数１】
2020536454.tif 000037
【００８９】
ここで、
2020536454.tif 000038
は
2020536454.tif 000039
がｐｏｉｎｔ  Ａを中心とするサブキャリアに該当するようにｐｏｉｎｔ  Ａに相対的に定義され得る。物理リソースブロックは、帯域幅部分（BandWidth Part、ＢＷＰ）内で０から
2020536454.tif 000040
まで番号がづけられ、
2020536454.tif 000041
は、ＢＷＰの番号である。ＢＷＰ  ｉで物理リソースブロック
2020536454.tif 000042
と共通リソースブロック
2020536454.tif 000043
との間の関係は、下記数式２によって与えられ得る。
【００９０】
＜数式２＞
【数２】
2020536454.tif 000044
【００９１】
ここで、
2020536454.tif 000045
は、ＢＷＰが共通リソースブロック０に対して相対的に始まる共通リソースブロックであり得る。
【００９２】
セルフコンテインド（自己完結型）（Self-contained）構造
【００９３】
ＮＲシステムで考慮されるＴＤＤ（Time Division Duplexing）構造は、アップリンク（UpLink、ＵＬ）およびダウンリンク（DownLink、ＤＬ）を一つのスロット（slot）（またはサブフレーム（subframe））で全て処理する構造である。これは、ＴＤＤシステムでデータ伝送の遅延（latency）を最小にするためのものであり、上記構造は、セルフコンテインド（self-contained）構造またはセルフコンテインド（self-contained）スロットと称され得る。
【００９４】
図６は、本明細書で提案する方法が適用されることができるセルフコンテインド（self-contained）構造の一例を示す。図６は、単に説明の便宜のためのものであるだけで、本発明の範囲を制限するものではない。
【００９５】
図６を参照すると、ｌｅｇａｃｙ  ＬＴＥの場合のように、一つの送信単位（例えば、スロット、サブフレーム）が１４個のＯＦＤＭ（Orthogonal Frequency Division Multiplexing）シンボル（symbol）で構成される場合が仮定される。
【００９６】
図６において、領域６０２は、ダウンリンク制御領域（downlink control region）を意味し、領域６０４は、アップリンク制御領域（uplink control region）を意味する。また、領域６０２および領域６０４以外の領域（即ち、別途の表示がない領域）は、ダウンリンクデータ（downlink data）またはアップリンクデータ（uplink data）の送信のために用いられ得る。
【００９７】
即ち、アップリンク制御情報（uplink control information）およびダウンリンク制御情報（downlink control information）は、一つのセルフコンテインド（self-contained）スロットで送信されることができる。これに対し、データ（data）の場合、アップリンクデータまたはダウンリンクデータが一つのセルフコンテインド（self-contained）スロットで送信されることができる。
【００９８】
図６に示された構造を用いる場合、一つのセルフコンテインド（self-contained）スロット内で、ダウンリンク送信とアップリンク送信とが順次進められ、ダウンリンクデータの送信およびアップリンクＡＣＫ／ＮＡＣＫの受信が行われ得る。
【００９９】
その結果、データ伝送のエラーが発生する場合、データの再伝送までかかる時間が減少し得る。これを通じて、データ伝達に関する遅延を最小にし得る。
【０１００】
図６のようなセルフコンテインド（self-contained）スロット構造で、基地局（ｅＮｏｄｅＢ、ｅＮＢ、ｇＮＢ）および／または端末（terminal、ＵＥ（User Equipment））が送信モード（transmission mode）から受信モード（reception mode）へ切り換わる過程（処理、プロセス）（process）または受信モードから送信モードへ切り換わる過程のための時間ギャップ（time gap）が要求される。上記時間ギャップに関して、上記セルフコンテインド（self-contained）スロットでダウンリンク送信以降にアップリンク送信が行われる場合、一部のＯＦＤＭシンボルがガード（保護）区間（Guard Period、ＧＰ）に設定され得る。
【０１０１】
本明細書では、次世代無線通信システムでページングのためのダウンリンク制御情報（downlink control information）（即ち、ＤＣＩフォーマット）を設計する方法を提案する。具体的には、ＮＲシステムでページングのためのＤＣＩとして考慮され得るＤＣＩフォーマット１＿０の内容（contents）（即ち、フィールド（field）、ビット（bit）など）を構成する方法について見る。ここで、ページングのためのＤＣＩは、ページングに関する識別子（例えば、Ｐ−ＲＮＴＩ）でＣＲＣ（Cyclic Redundancy Check）スクランブルされた（scrambled）ＤＣＩフォーマットを意味し得る。
【０１０２】
ＮＲシステムでは、ページングのためのＤＣＩに短いメッセージ（short message）のみ含まれるか、またはスケジューリング情報（scheduling information）のみ含まれるか否かを示す（即ち、指示する）１ビットの情報が考慮された。ここで、短いメッセージは、システム情報（System Information、ＳＩ）の変更（例えば、system information modification）および／または緊急（urgent）システム情報（例えば、ＥＴＷＳ（Earthquake and Tsunami Warning System）、ＣＭＡＳ（Commercial Mobile Alert System）など）に関するメッセージを含み得る。また、スケジューリング情報は、ＰＤＳＣＨなどのスケジューリングのためのリソース割り当て情報（例えば、周波数領域上のリソース割り当て、時間領域上のリソース割り当てなど）を含み得る。
【０１０３】
前述したような１ビットの情報は、既存のシステム（例えば、ＬＴＥシステム）で直接指示（direct indication）のために用いられたフラグビット（flag bit）と類似し得る。これに対するＤＣＩフォーマットの例は、図７の通りであり得る。
【０１０４】
図７は、無線通信システムにおいて適用されることができるページングのためのＤＣＩフォーマットの例を示す。図７は、単に説明の便宜のためのものであるだけで、本発明の範囲を制限するものではない。
【０１０５】
図７を参照すると、既存のシステムでページングのためのＤＣＩとして考慮されたＤＣＩフォーマット６＿２で、最も低い一つの情報ビットが前述したフラグビット（即ち、１ビットの情報）の役割を担う場合が仮定される。
【０１０６】
即ち、上記ページングのためのＤＣＩは、直接指示情報（即ち、前述した短いメッセージに対応する情報）が該当ＤＣＩに含まれるか否かを示す短いメッセージ指示子（short message indicator）７０２を含み得る。
【０１０７】
例えば、該当指示子の値が「０」である場合、ページングのためのＤＣＩは、直接指示情報（即ち、直接指示フィールド７０４）のみを含むように設定され得る。これと異なり、該当指示子の値が「１」である場合、ページングのためのＤＣＩは、リソース割り当て情報（即ち、リソース割り当てフィールド７０６）のみを含むように設定され得る。
【０１０８】
前述した図７のようなフレームワーク（framework）（即ち、ＤＣＩフォーマット構造）をＮＲシステムにおけるページングのために再使用する方法が考慮され得る。
【０１０９】
また、ＮＲシステムでは、前述したような短いメッセージ（即ち、直接指示情報）を構成するコンテンツ（contents）（即ち、細部情報、要素）が定義される必要がある。
【０１１０】
一例として、ページングに関して、ＮＲシステムが前述したＬＴＥシステムにおけるページングのためのＤＣＩフォーマット６＿２のフレームワークをサポートする場合を仮定しよう。このとき、ＮＲシステムでは、ページングメッセージ（paging message）のための短いメッセージおよびスケジューリング情報のコンテンツが再定義（redefine）される必要があり得る。
【０１１１】
まず、短いメッセージ、即ち、直接指示情報は、８ビットで構成されてもよい。それぞれのビットは、システム情報の変更（ｓｙｓｔｅｍＩｎｆｏＭｏｄｉｆｉｃａｔｉｏｎ、１ビット）、緊急システム情報（例えば、ＥＴＷＳ関連の１ビットおよび／またはＣＭＡＳ関連の１ビット）、その他のシステム情報（例えば、ｅａｂ−ＰａｒａｍＭｏｄｉｆｉｃａｔｉｏｎ１ビット、ｅＤＲＸＩｎｆｏＭｏｄｉｆｉｃａｔｉｏｎ１ビット）およびリザーブ（保留）ビット（reserved bit）を示し得る（または指示し得る）。
【０１１２】
次に、ページングメッセージのスケジューリング情報について具体的に見る。一例として、ＮＲシステムで考慮されるＤＣＩフォーマット１＿０は、多様なコンテンツで構成され得る。しかしながら、ページングの場合、ＨＡＲＱプロセス（process）および電力制御（power control）が要求されないので、該当スケジューリング情報にこのような情報が含まれることは、必須ではないことがある。一例として、ＨＡＲＱプロセスおよび電力制御に関する情報は、新たなデータ指示子（new data indicator）、リダンダンシバージョン（redundancy version）、ＨＡＲＱプロセス番号（HARQ process number）、ＰＤＳＣＨ−ｔｏ−ＨＡＲＱフィードバックタイミング指示子（PDSCH-to-HARQ feedback timing indicator）、ダウンリンク割り当てインデックス（downlink assignment index）、ＰＵＣＣＨリソース指示子（PUCCH resource indicator）、および／またはスケジューリングされたＰＵＣＣＨに対するＴＰＣコマンド（TPC command）などであり得る。
【０１１３】
即ち、ページングメッセージにおけるスケジューリングの場合（即ち、ページングのためのＤＣＩに含まれるスケジューリング情報の場合）、時間領域、周波数領域、および／またはデコーディング（decoding）に関する情報のみが必須であることもある。
【０１１４】
ただし、基地局（例えば、ｇＮＢ）が短いメッセージを指示するためにページングＤＣＩを送信するとき、ページングメッセージは、長い時間区間（duration）の間アイドル端末（ＩＤＬＥ  ＵＥ）に伝達されないことがある。また、基地局がページングＤＣＩでリソース割り当てをトリガ（trigger）するとき、ＲＲＣ接続（連結）された端末（ＲＲＣ  ＣＯＮＮＥＣＴＥＤ  ＵＥ）は、システム情報の変更および／または緊急システム情報の情報を獲得するためのＰＤＣＣＨデコーディング動作を行う必要があり得る。このようなデコーディング動作は、過度なデコーディング複雑度（redundant decoding complexity）を誘発し得、デコーディング遅延（decoding latency）を増加させ得る。
【０１１５】
言い換えると、既存の方式のようにページングのためのＤＣＩに短いメッセージ（即ち、直接指示情報）のみ、またはスケジューリング（即ち、リソース割り当て情報）のみ含まれる場合だけでなく、上記スケジューリング情報および一部のシステム情報（特に、一部の短いメッセージ）がページングのためのＤＣＩに含まれる場合も考慮される必要があり得る。
【０１１６】
即ち、スケジューリング情報（即ち、リソース割り当て情報）および一部のシステム情報がページングのためのＤＣＩに含まれるか否かに関する指示子がさらに設定される必要があり得る。
【０１１７】
図８は、本明細書で提案する方法が適用されることができるページングのためのＤＣＩフォーマットの一例を示す。図８は、単に、説明の便宜のためのものであるだけで、本発明の範囲を制限するものではない。
【０１１８】
図８を参照すると、短いメッセージ指示子７０２の値が「１」と設定され、ページングのためのＤＣＩにスケジューリング情報、即ち、リソース割り当て情報７０４が含まれる場合が仮定される。
【０１１９】
このとき、リソース割り当て情報、即ち、リソース割り当てビットフィールド（resource allocation bit field）にさらに、システム情報のメッセージの存在が可能か否かに関する指示子（indicator）７０６を導入する方法が考慮され得る。一例として、該当指示子は、ＳＩメッセージ指示子と称されてもよく、１ビット（1bit）で構成されてもよい。
【０１２０】
ここで、該当指示子は、ページングメッセージ（例えば、ＲＲＣページメッセージ（RRC page message））がｐａｇｉｎｇＲｅｃｏｒｄＬｉｓｔのみを含むか、またはｐａｇｉｎｇＲｅｃｏｒｄＬｉｓｔおよびＳＩ変更情報の両方を含むかを示すための指示ビット（indication bit）に該当し得る。上記ＳＩ変更情報は、システム情報の変更と直接関連する情報だけでなく、前述した短いメッセージ（short message）、即ち、直接指示情報などを含んでもよい。一例として、ＲＲＣページメッセージは、上位層のシグナリング（higher layer signaling）を介して伝達され得る。
【０１２１】
この場合、前述したＳＩメッセージ指示子に応じて、端末（例えば、ＲＲＣ接続された端末）は、該当ＰＤＳＣＨをデコードするか、デコードしないように設定され得る。
【０１２２】
図９は、本明細書で提案する方法が適用されることができるページングのためのＤＣＩフォーマットの別の例を示す。図９は、単に説明の便宜のためのものであるだけで、本発明の範囲を制限するものではない。
【０１２３】
図９を参照すると、短いメッセージ指示子７０２の値が「１」と設定され、ページングのためのＤＣＩにスケジューリング情報、即ち、リソース割り当て情報７０４が含まれる場合が仮定される。
【０１２４】
このとき、リソース割り当て情報、即ち、リソース割り当てビットフィールド（resource allocation bit field）にさらに、システム情報のメッセージの存在が可能か否かに関する指示子（indicator）７０６および高い優先順位（high priority）のシステム情報に関する指示子７０８を導入する方法が考慮され得る。一例として、ＳＩメッセージ指示子は、１ビット（1bit）で構成され得、高い優先順位のシステム情報は、Ｙビット（Y bits）で構成され得る（ここで、Ｙは正の定数）。
【０１２５】
即ち、リソース割り当て情報および短いメッセージ指示子以外に、さらに１＋Ｙビットで構成されたシステム情報に関する情報がページングのためのＤＣＩに含まれ得る。ここで、高い優先順位のシステム情報（または該当情報の指示子）は、端末に設定され得る全てのシステム情報（例えば、ｓｙｓｔｅｍＩｎｆｏＭｏｄｉｆｉｃａｔｉｏｎ、ＥＴＷＳ、ＣＭＡＳ、ｅａｂ−ＰａｒａｍＭｏｄｉｆｉｃａｔｉｏｎ、ｅＤＲＸＩｎｆｏＭｏｄｉｆｉｃａｔｉｏｎなど）のうち、優先順位が高く設定できる情報のような特定のシステム情報を意味し得る。
【０１２６】
一例として、多くのシステム情報のうちの一部のシステム情報（例えば、ＥＴＷＳ、ＣＭＡＳなど）は、端末に緊急に伝達される必要があり得る。ページングメッセージにこのような緊急情報が含まれる場合、端末は、該当ＰＤＳＣＨを受信し、データデコーディング（data decoding）を行わなければならない。
【０１２７】
このような点を考慮するとき、ＰＤＳＣＨをデコードする処理遅延（processing delay）をより減少させるために、一部の重要度の高いシステム情報は、ページングメッセージではなく、ＤＣＩを介して直接指示される必要があり得る。即ち、一部のシステム情報をページングメッセージを介してではなく、ページングのためのＤＣＩを介して直接伝達する方法が考慮され得る。
【０１２８】
この場合、ページングメッセージに上記一部のシステム情報が含まれるか否かは、ページングのためのＤＣＩに該当する一部のシステム情報が含まれるか否かと関連し得る。一例として、ページングメッセージに緊急システム情報が含まれるということは、ページングのためのＤＣＩに該当緊急システム情報が含まれないことを意味し得、これとは逆に、ページングメッセージに緊急システム情報が含まれないということは、ページングのためのＤＣＩに該当緊急システム情報が含まれることを意味し得る。これに関する指示情報は、ＳＩメッセージ指示子７０６を介して指示され得る。
【０１２９】
上記で言及したように、ページングのためのＤＣＩ（即ち、Ｐ−ＲＮＴＩでスクランブルされたＤＣＩ）で、前述した１＋Ｙビットは、ＳＩメッセージ指示子（例えば、１ビット）および高い優先順位のシステム情報（指示子）（例えば、Ｙビット）の役割を担うことができる。
【０１３０】
言い換えると、ＮＲシステムでは、ページングのＤＣＩ内でリソース割り当て情報および一部のシステム情報（例えば、ＳＩ変更通知など）に対する同時指示（simultaneous indication）が許可され得る。このとき、リソース割り当て情報の指示のためのビット（フィールド）以外に、一部のシステム情報のために一つまたは複数の追加的なビットが割り当てられ得る。一例として、図８に示されたように、１ビットで構成されたＳＩメッセージ指示子が導入されることができ、図９に示されたように、ＳＩメッセージ指示子および高い順位のシステム情報（指示子）（例えば、ＥＴＷＳ、ＣＭＡＳなど）に対する１＋Ｙビットが導入されることもできる。
【０１３１】
また、前述したページングＤＣＩに関して、該当ＤＣＩフォーマットは、次の例のように構成されてもよい。ページングのためのＤＣＩフォーマットは、Ｐ−ＲＮＴＩによってＣＲＣスクランブルされたＤＣＩフォーマット（Ｚ）であってもよい。
【０１３２】
例えば、ページングのためのＤＣＩフォーマットは、ページング（paging）または直接指示（direct indication）を区分するフラグ（１ビットの情報）を含み得る。ここで、上記フラグの値が「０」であることは、直接指示（即ち、短いメッセージ）を示し、上記フラグの値が「１」であることは、ページングを示すように設定され得る。
【０１３３】
また、上記フラグ値が０である場合、ページングのためのＤＣＩフォーマットは、直接指示情報（例えば、Ｘビット）および上記フラグ値が１である場合のＤＣＩフォーマットの大きさと同一になるまでのリザーブ（保留）情報ビット（reserved information bit(s)）をさらに含み得る。
【０１３４】
あるいは、上記フラグ値が１である場合、ページングのためのＤＣＩフォーマットは、システム情報に関するフラグ（例えば、図９で詳述したＳＩメッセージ指示子および／または高い優先順位のシステム情報などに関する１ビット以上の情報）ならびにスケジューリング情報（即ち、ＰＤＳＣＨに対するスケジューリング情報）をさらに含み得る。ここで、スケジューリング情報は、周波数領域上のリソース割り当て情報
2020536454.tif 000046
、時間領域上のリソース割り当て情報（例えば、Ｘビット）、ＭＣＳ（Modulation and Coding Scheme）に関する情報（例えば、５ビット）、「０（Zero）」に設定されるスケジューリングＰＵＣＣＨに対するＴＰＣコマンド（例えば、２ビット）、ＤＣＩフォーマットに対する識別子（identifier）（例えば、１ビット）、新たなデータ指示子（new data indicator）（例えば、１ビット）、リダンダンシバージョン（例えば、２ビット）、ＨＡＲＱプロセス番号（例えば、４ビット）、ＰＤＳＣＨ−ｔｏ−ＨＡＲＱフィードバックタイミング指示子（例えば、３ビット）、ダウンリンク割り当てのインデックス（例えば、２ビット）および／またはＰＵＣＣＨリソース指示子（例えば、２ビット）を含み得る。
【０１３５】
また、ＮＲシステムで導入されるビームスイーピング（beam sweeping）動作により、ＮＲシステムにおけるページングオーバーヘッド（paging overhead）を減らすために、更なるページング伝達（paging delivery）のメカニズムが考慮される必要があり得る。
【０１３６】
これに関して、ページングのためのウェイクアップ（wake-up）時間を減少させるために、端末をサブグループ（sub-group）に分割する方式が考慮され得る。この場合、ページンググループ指示子（paging group indicator）は、さらに議論され、導入される必要があり得る。
【０１３７】
このようなページンググループ指示子に対する構成（configuration）は、追加的なＲＮＴＩを用いて伝達されるか、ＤＣＩを介して伝達されることができる。ただし、ページンググループ指示子を示すための追加的なＲＮＴＩが導入される場合、端末の観点におけるブラインドデコーディングの複雑度が高くなることがある。したがって、ページンググループ指示子に関する情報は、ページングのためのＤＣＩを介して伝達されることが好ましいことがある。また、端末のバージョン（例えば、Ｒｅｌｅａｓｅ）を区分するための追加的なビットが導入される必要もあり得る。
【０１３８】
以下、図１０および図１１とこれに関する説明は、本明細書で提案するページングのためのＤＣＩフォーマットに基づいてページング動作（paging operation）を行う端末の動作方法および装置と、基地局の動作方法および装置に関する。
【０１３９】
図１０は、本明細書で提案する方法が適用されることができる無線通信システムにおいてページング（paging）を行う端末の動作フローチャートの一例を示す。図１０は、単に説明の便宜のためのものであるだけで、本発明の範囲を制限するものではない。
【０１４０】
図１０を参照すると、端末および／または基地局は、ページング動作（即ち、ページングメッセージを送受信する動作）を行うにあたって、本明細書で詳述した方法、特に、前述したページングのためのＤＣＩフォーマットを利用する方法に基づく場合が仮定される。一例として、以下で説明されるＤＣＩは、ページングに関するＰ−ＲＮＴＩによってスクランブルされるＤＣＩフォーマット（例えば、Ｐ−ＲＮＴＩでＣＲＣスクランブルされるＤＣＩフォーマット１＿０）であり得る。
【０１４１】
まず、端末は、基地局から上記ページングメッセージに関するダウンリンク制御情報（Downlink Control Information、ＤＣＩ）を受信することができる（Ｓ１００５）。一例として、該当ＤＣＩは、本明細書で詳述したＤＣＩフォーマット（例えば、図９に示されたＤＣＩフォーマット）に該当し得る。
【０１４２】
具体的には、上記ＤＣＩは、ページングメッセージのためのリソース割り当て（resource allocation）情報および／またはシステム情報（system information）に関する短いメッセージ（short message）を含み得る。例えば、上記リソース割り当て情報は、前述したスケジューリング情報であってもよく、上記短いメッセージは、直接指示（direct indication）情報と称されてもよい。
【０１４３】
前述したように、上記短いメッセージは、上記システム情報の変更に関する情報、ＥＴＷＳ（Earthquake and Tsunami Warning System）に関する指示情報に関する指示情報およびＣＭＡＳ（Commercial Mobile Alert System）に関する指示情報に関する指示情報のうちの少なくとも一つを含み得る。特に、上記ＥＴＷＳ（Earthquake and Tsunami Warning System）に関する指示情報に関する指示情報およびＣＭＡＳ（Commercial Mobile Alert System）に関する指示情報に関する指示情報は、システム情報のうち高い優先順位（high priority）に設定され得る（例えば、高い優先順位のシステム情報（指示子））。
【０１４４】
また、上記ＤＣＩは、上記リソース割り当て情報および／または上記短いメッセージが上記ＤＣＩに含まれるか否かを示す少なくとも一つのビット（bit）を含み得る。このとき、前述したように、少なくとも一つのビットの数は、２であってもよい（即ち、２ビット）。この場合、上記少なくとも一つのビットの値は、ｉ）上記ＤＣＩに上記リソース割り当て情報が含まれる場合である第１状態（state）、ｉｉ）上記ＤＣＩに上記短いメッセージが含まれる場合である第２状態、またはｉｉｉ）上記ＤＣＩに上記リソース割り当て情報および上記短いメッセージが含まれる場合である第３状態を示すように設定され得る。一例として、上記少なくとも一つのビットは、図９に示された短いメッセージ指示子（short message indicator）に関するビットおよびシステム情報メッセージ指示子（SI message indicator）に関するビットであってもよい。
【０１４５】
以降、端末は、上記ＤＣＩに基づいてページングメッセージを基地局から受信することができる（Ｓ１０１０）。言い換えると、端末は、上記ＤＣＩによってスケジューリングされるページングメッセージを（基地局から）受信し、ページング動作を行うことができる。一例として、上記ページングメッセージは、上記ＤＣＩによってスケジューリングされるＰＤＳＣＨ（Physical Downlink Shared CHannel）などを介して運ばれ得る。
【０１４６】
このとき、上記短いメッセージが上記ＤＣＩに含まれる場合、上記短いメッセージは、上記ＤＣＩによってスケジューリングされるページングメッセージを介して伝達されないように設定され得る。即ち、上記短いメッセージが上記ＤＣＩに含まれる場合、端末は、該当ＰＤＳＣＨに対するデコーディングを行わないこともある。
【０１４７】
これに関して、具現の側面において、前述した端末の動作は、本明細書の図１２および図１３に示された端末装置１２２０、１３２０によって具体的に具現されることができる。例えば、前述した端末の動作は、プロセッサ１２２１、１３２１ならびに／または無線周波（Radio Frequency；ＲＦ）ユニット（もしくはモジュール）１２２３、１３２５によって行われ得る。
【０１４８】
無線通信システムでページング（paging）を実行（即ち、ページングメッセージを送受信する動作）する端末は、無線信号を送信するための送信部（transmitter）と、無線信号を受信するための受信部（receiver）と、上記送信部および受信部と機能的に接続されるプロセッサと、を含むことができる。ここで、上記送信部および上記受信部は、無線信号を送受信するためのＲＦユニット（またはモジュール）と称され得る。
【０１４９】
例えば、端末のプロセッサは、基地局から上記ページングメッセージに関するダウンリンク制御情報（Downlink Control Information、ＤＣＩ）を受信するように、（受信）ＲＦユニット（またはモジュール）を制御することができる（Ｓ１００５）。一例として、該当ＤＣＩは、本明細書で詳述したＤＣＩフォーマット（例えば、図９に示されたＤＣＩフォーマット）に該当し得る。
【０１５０】
具体的には、上記ＤＣＩは、ページングメッセージのためのリソース割り当て（resource allocation）情報および／またはシステム情報（system information）に関する短いメッセージ（short message）を含み得る。例えば、上記リソース割り当て情報は、前述したスケジューリング情報であってもよく、上記短いメッセージは、直接指示（direct indication）情報と称されてもよい。
【０１５１】
前述したように、上記短いメッセージは、上記システム情報の変更に関する情報、ＥＴＷＳ（Earthquake and Tsunami Warning System）に関する指示情報に関する指示情報およびＣＭＡＳ（Commercial Mobile Alert System）に関する指示情報に関する指示情報のうちの少なくとも一つを含み得る。特に、上記ＥＴＷＳ（Earthquake and Tsunami Warning System）に関する指示情報に関する指示情報およびＣＭＡＳ（Commercial Mobile Alert System）に関する指示情報に関する指示情報は、システム情報のうち高い優先順位（high priority）に設定され得る（例えば、高い優先順位のシステム情報（指示子））。
【０１５２】
また、上記ＤＣＩは、上記リソース割り当て情報および／または上記短いメッセージが上記ＤＣＩに含まれるか否かを示す少なくとも一つのビット（bit）を含み得る。このとき、前述したように、少なくとも一つのビットの数は、２であってもよい（即ち、２ビット）。この場合、上記少なくとも一つのビットの値は、ｉ）上記ＤＣＩに上記リソース割り当て情報が含まれる場合である第１状態（state）、ｉｉ）上記ＤＣＩに上記短いメッセージが含まれる場合である第２状態、またはｉｉｉ）上記ＤＣＩに上記リソース割り当て情報および上記短いメッセージが含まれる場合である第３状態を示すように設定され得る。一例として、上記少なくとも一つのビットは、図９に示された短いメッセージ指示子（short message indicator）に関するビットおよびシステム情報メッセージ指示子（SI message indicator）に関するビットであってもよい。
【０１５３】
以降、端末のプロセッサは、上記ＤＣＩに基づいてページングメッセージを基地局から受信するように制御することができる（Ｓ１０１０）。言い換えると、端末のプロセッサは、上記ＤＣＩによってスケジューリングされるページングメッセージを（基地局から）受信するように（受信）ＲＦモジュールを制御し、ページング動作を行うように制御することができる。一例として、上記ページングメッセージは、上記ＤＣＩによってスケジューリングされるＰＤＳＣＨ（Physical Downlink Shared CHannel）などを介して運ばれ得る。
【０１５４】
このとき、上記短いメッセージが上記ＤＣＩに含まれる場合、上記短いメッセージは、上記ＤＣＩによってスケジューリングされるページングメッセージを介して伝達されないように設定され得る。即ち、上記短いメッセージが上記ＤＣＩに含まれる場合、端末のプロセッサは、該当ＰＤＳＣＨに対するデコーディングを行わないように制御することもある。
【０１５５】
図１１は、本明細書で提案する方法が適用されることができる無線通信システムにおいてページングメッセージ（paging message）を送信する基地局の動作フローチャートの一例を示す。図１１は、単に説明の便宜のためのものであるだけで、本発明の範囲を制限するものではない。
【０１５６】
図１１を参照すると、端末および／または基地局は、ページング動作（即ち、ページングメッセージの送受信動作）を行うにあたって、本明細書で詳述した方法、特に前述したページングのためのＤＣＩフォーマットを利用する方法に基づく場合が仮定される。一例として、以下で説明されるＤＣＩは、ページングに関するＰ−ＲＮＴＩによってスクランブルされるＤＣＩフォーマット（例えば、Ｐ−ＲＮＴＩでＣＲＣスクランブルされるＤＣＩフォーマット１＿０）であり得る。
【０１５７】
まず、基地局は、端末へ上記ページングメッセージに関するダウンリンク制御情報（Downlink Control Information、ＤＣＩ）を送信することができる（Ｓ１１０５）。一例として、該当ＤＣＩは、本明細書で詳述したＤＣＩフォーマット（例えば、図９に示されたＤＣＩフォーマット）に該当し得る。
【０１５８】
具体的には、上記ＤＣＩは、上記ページングメッセージのためのリソース割り当て（resource allocation）情報および／またはシステム情報（system information）に関する短いメッセージ（short message）を含み得る。例えば、上記リソース割り当て情報は、前述したスケジューリング情報であってもよく、上記短いメッセージは、直接指示（direct indication）情報と称されてもよい。
【０１５９】
前述したように、上記短いメッセージは、上記システム情報の変更に関する情報、ＥＴＷＳ（Earthquake and Tsunami Warning System）に関する指示情報に関する指示情報およびＣＭＡＳ（Commercial Mobile Alert System）に関する指示情報に関する指示情報のうちの少なくとも一つを含み得る。特に、上記ＥＴＷＳ（Earthquake and Tsunami Warning System）に関する指示情報に関する指示情報およびＣＭＡＳ（Commercial Mobile Alert System）に関する指示情報に関する指示情報は、システム情報のうち高い優先順位（high priority）に設定され得る（例えば、高い優先順位のシステム情報（指示子））。
【０１６０】
また、上記ＤＣＩは、上記リソース割り当て情報および／または上記短いメッセージが上記ＤＣＩに含まれるか否かを示す少なくとも一つのビット（bit）を含み得る。このとき、前述したように、少なくとも一つのビットの数は、２であってもよい（即ち、２ビット）。この場合、上記少なくとも一つのビットの値は、ｉ）上記ＤＣＩに上記リソース割り当て情報が含まれる場合である第１状態（state）、ｉｉ）上記ＤＣＩに上記短いメッセージが含まれる場合である第２状態、またはｉｉｉ）上記ＤＣＩに上記リソース割り当て情報および上記短いメッセージが含まれる場合である第３状態を示すように設定され得る。一例として、上記少なくとも一つのビットは、図９に示された短いメッセージ指示子（short message indicator）に関するビットおよびシステム情報メッセージ指示子（SI message indicator）に関するビットであってもよい。
【０１６１】
以降、基地局は、上記ＤＣＩに基づいて端末へページングメッセージを送信することができる（Ｓ１１１０）。一例として、上記ページングメッセージは、上記ＤＣＩによってスケジューリングされるＰＤＳＣＨ（Physical Downlink Shared CHannel）などを介して運ばれるように設定され得る。
【０１６２】
このとき、上記短いメッセージが上記ＤＣＩに含まれる場合、上記短いメッセージは、上記ＤＣＩによってスケジューリングされるページングメッセージを介して伝達されないように設定され得る。即ち、上記短いメッセージが上記ＤＣＩに含まれる場合、端末は、該当ＰＤＳＣＨに対するデコーディングを行わないこともある。
【０１６３】
これに関して、具現の側面において、前述した基地局の動作は、本明細書の図１２および図１３に示された基地局装置１２１０、１３１０によって具体的に具現されることができる。例えば、前述した端末の動作は、プロセッサ１２１１、１３１１および／またはＲＦ（Radio Frequency）ユニット（またはモジュール）１２１３、１３１５によって行われ得る。
【０１６４】
無線通信システムでページング（paging）を実行（即ち、ページングメッセージの送受信を実行）する基地局は、無線信号を送信するための送信部（transmitter）と、無線信号を受信するための受信部（receiver）と、上記送信部および受信部と機能的に接続されるプロセッサと、を含み得る。ここで、上記送信部および上記受信部は、無線信号を送受信するためのＲＦユニット（またはモジュール）と称され得る。
【０１６５】
例えば、基地局のプロセッサは、端末へ上記ページングメッセージに関するダウンリンク制御情報（Downlink Control Information、ＤＣＩ）を送信するように、（送信）ＲＦユニット（またはモジュール）を制御することができる（Ｓ１１０５）。一例として、該当ＤＣＩは、本明細書で詳述したＤＣＩフォーマット（例えば、図９に示されたＤＣＩフォーマット）に該当し得る。
【０１６６】
具体的には、上記ＤＣＩは、上記ページングメッセージのためのリソース割り当て（resource allocation）情報および／またはシステム情報（system information）に関する短いメッセージ（short message）を含み得る。例えば、上記リソース割り当て情報は、前述したスケジューリング情報であってもよく、上記短いメッセージは、直接指示（direct indication）情報と称されてもよい。
【０１６７】
前述したように、上記短いメッセージは、上記システム情報の変更に関する情報、ＥＴＷＳ（Earthquake and Tsunami Warning System）に関する指示情報に関する指示情報およびＣＭＡＳ（Commercial Mobile Alert System）に関する指示情報に関する指示情報のうちの少なくとも一つを含み得る。特に、上記ＥＴＷＳ（Earthquake and Tsunami Warning System）に関する指示情報に関する指示情報およびＣＭＡＳ（Commercial Mobile Alert System）に関する指示情報に関する指示情報は、システム情報のうち高い優先順位（high priority）に設定され得る（例えば、高い優先順位のシステム情報（指示子））。
【０１６８】
また、上記ＤＣＩは、上記リソース割り当て情報および／または上記短いメッセージが上記ＤＣＩに含まれるか否かを示す少なくとも一つのビット（bit）を含み得る。このとき、前述したように、少なくとも一つのビットの数は、２であってもよい（即ち、２ビット）。この場合、上記少なくとも一つのビットの値は、ｉ）上記ＤＣＩに上記リソース割り当て情報が含まれる場合である第１状態（state）、ｉｉ）上記ＤＣＩに上記短いメッセージが含まれる場合である第２状態、またはｉｉｉ）上記ＤＣＩに上記リソース割り当て情報および上記短いメッセージが含まれる場合である第３状態を示すように設定され得る。一例として、上記少なくとも一つのビットは、図９に示された短いメッセージ指示子（short message indicator）に関するビットおよびシステム情報メッセージ指示子（SI message indicator）に関するビットであってもよい。
【０１６９】
以降、基地局のプロセッサは、上記ＤＣＩに基づいてページングメッセージを端末へ送信するように、（送信）ＲＦユニット（またはモジュール）を制御することができる（Ｓ１１１０）。言い換えると、基地局のプロセッサは、上記ＤＣＩによってスケジューリングされるページングメッセージを（端末へ）送信するようにＲＦモジュールを制御することができ、これを通じて、該当端末は、ページング動作を行うことができる。一例として、上記ページングメッセージは、上記ＤＣＩによってスケジューリングされるＰＤＳＣＨ（Physical Downlink Shared CHannel）などを介して運ばれ得る。
【０１７０】
このとき、上記短いメッセージが上記ＤＣＩに含まれる場合、上記短いメッセージは、上記ＤＣＩによってスケジューリングされるページングメッセージを介して伝達されないように設定され得る。即ち、上記短いメッセージが上記ＤＣＩに含まれる場合、端末のプロセッサは、該当ＰＤＳＣＨに対するデコーディングを行わないように制御することもある。
【０１７１】
前述したような端末および／または基地局のページング動作およびＤＣＩフォーマットは、ページングのためのＤＣＩにスケジューリング情報のみが含まれるか、短いメッセージのみが含まれる場合以外にも、スケジューリング情報および短いメッセージが全て含まれる場合に対しても適用できるというメリットがある。このような動作を通じて、ページングに関する端末のＰＤＳＣＨデコーディングのオーバーヘッドおよび遅延（delay）が減少し得、不要なページングメッセージ／ＰＤＳＣＨに対する受信／デコーディング動作が減少し得るというメリットがある。
【０１７２】
本発明が適用されることができる装置一般
【０１７３】
図１２は、本明細書で提案する方法が適用されることができる無線通信装置のブロック構成図を例示する。
【０１７４】
図１２を参照すると、無線通信システムは、基地局１２１０と基地局領域内に位置する複数の端末１２２０とを含む。
【０１７５】
上記基地局および端末は、それぞれ無線装置とも表現され得る。
【０１７６】
基地局は、プロセッサ（processor）１２１１、メモリ（memory）１２１２、およびＲＦモジュール（radio frequency module）１２１３を含む。プロセッサ１２１１は、上記図１乃至図１１で提案された機能、過程および／または方法を具現する。無線インターフェースプロトコルの層は、プロセッサによって具現されることができる。メモリは、プロセッサと接続され、プロセッサを駆動するための様々な情報を記憶する。ＲＦモジュールは、プロセッサと接続され、無線信号を送信および／または受信する。
【０１７７】
端末は、プロセッサ１２２１、メモリ１２２２、およびＲＦモジュール１２２３を含む。
【０１７８】
プロセッサは、上記図１乃至図１１で提案された機能、過程および／または方法を具現する。無線インターフェースプロトコルの層は、プロセッサによって具現されることができる。メモリは、プロセッサと接続され、プロセッサを駆動するための様々な情報を記憶する。ＲＦモジュールは、プロセッサと接続され、無線信号を送信および／または受信する。
【０１７９】
メモリ１２１２、１２２２は、プロセッサ１２１１、１２２１の内部または外部にあってもよく、よく知られている様々な手段によってプロセッサと接続されてもよい。
【０１８０】
また、基地局および／または端末は、１個のアンテナ（single antenna）またはマルチ（多重）アンテナ（multiple antenna）を有することができる。
【０１８１】
アンテナ１２１４、１２２４は、無線信号を送信および受信する機能を具現する。
【０１８２】
図１３は、本明細書で提案する方法が適用されることができる無線通信装置のブロック構成図のさらに他の例である。
【０１８３】
図１３を参照すると、無線通信システムは、基地局１３１０と基地局領域内に位置する複数の端末１３２０とを含む。基地局は送信装置で、端末は受信装置で表現されることができ、その逆も可能である。基地局および端末は、プロセッサ（processor）１３１１、１３２１、メモリ（memory）１３１４、１３２４、一つまたは複数のＴｘ／Ｒｘ  ＲＦモジュール（Radio Frequency module）１３１５、１３２５、Ｔｘプロセッサ１３１２、１３２２、Ｒｘプロセッサ１３１３、１３２３、アンテナ１３１６、１３２６を含む。プロセッサは、上記で見た機能、過程および／または方法を具現する。より具体的には、ＤＬ（基地局から端末への通信）において、コアネットワークからの上位層パケットは、プロセッサ１３１１に提供される。プロセッサは、Ｌ２層の機能を具現する。ＤＬにおいて、プロセッサは、論理チャネルと送信チャネルとの間の多重化（multiplexing）、無線リソース割り当てを端末１３２０に提供し、端末へのシグナリングを担当する。送信（ＴＸ）プロセッサ１３１２は、Ｌ１層（即ち、物理層）に対する様々な信号処理機能を具現する。信号処理機能は、端末でＦＥＣ（Forward Error Correction）を容易にし、コーディングおよびインターリーブ（coding and interleaving）を含む。符号化および変調したシンボルは、並列ストリームに分割され、各々のストリームは、ＯＦＤＭ副搬送波にマッピングされ、時間および／または周波数領域で参照（基準）信号（Reference Signal、ＲＳ）と多重化され、ＩＦＦＴ（Inverse Fast Fourier Transform）を使用して共に結合され、時間領域ＯＦＤＭＡシンボルストリームを運搬する物理チャネルを生成する。ＯＦＤＭストリームは、多重空間ストリームを生成するために、空間的にプリコーディングされる。各々の空間ストリームは、個別のＴｘ／Ｒｘモジュール（または送受信器１３１５）を介して異なるアンテナ１３１６に提供されることができる。各々のＴｘ／Ｒｘモジュールは、送信のために各々の空間ストリームにＲＦ搬送波を変調することができる。端末において、各々のＴｘ／Ｒｘモジュール（または送受信器１３２５）は、各Ｔｘ／Ｒｘモジュールの各アンテナ１３２６を介して信号を受信する。各々のＴｘ／Ｒｘモジュールは、ＲＦキャリアに変調された情報を復元し、受信（ＲＸ）プロセッサ１３２３に提供する。ＲＸプロセッサは、層１の多様な信号処理機能を具現する。ＲＸプロセッサは、端末に向かう任意の空間ストリームを復元（復旧）するために、情報に空間処理を行うことができる。複数の空間ストリームが端末に向かう場合、複数のＲＸプロセッサによって単一ＯＦＤＭＡシンボルストリームに結合されることができる。ＲＸプロセッサは、高速フーリエ変換（ＦＦＴ）を使用し、ＯＦＤＭＡシンボルストリームを時間領域から周波数領域に変換する。周波数領域の信号は、ＯＦＤＭ信号の各々のサブキャリアに対する個別のＯＦＤＭＡシンボルストリームを含む。各々のサブキャリア上のシンボルおよび参照信号は、基地局によって送信された最も可能性のある信号配置のポイントを決定することによって復元されて復調される。このような軟判定（soft decision）は、チャネル推定値に基づくことができる。軟判定は、物理チャネル上で基地局によって元々送信された��ータおよび制御信号を復元するために、デコードおよびデインターリーブされる。該当データおよび制御信号は、プロセッサ１３２１に提供される。
【０１８４】
ＵＬ（端末から基地局への通信）は、端末１３２０において受信器の機能に関して記述されたのと類似の方式で、基地局１３１０において処理される。各々のＴｘ／Ｒｘモジュール１３２５は、各々のアンテナ１３２６を介して信号を受信する。各々のＴｘ／Ｒｘモジュールは、ＲＦ搬送波および情報をＲＸプロセッサ１３２３に提供する。プロセッサ１３２１は、プログラムコードおよびデータを記憶するメモリ１３２４と関連し得る。メモリは、コンピュータ読み取り可能な媒体と称され得る。
【０１８５】
以上で説明された実施形態は、本発明の構成要素および特徴が所定の形態で結合されたものである。各構成要素または特徴は、別途の明示的な言及がない限り、選択的なものとして考慮されなければならない。各構成要素または特徴は、他の構成要素や特徴と結合されない形態で実施できる。また、一部の構成要素および／または特徴を結合して本発明の実施形態を構成することも可能である。本発明の実施形態で説明される動作の順序は、変更できる。ある実施形態の一部の構成や特徴は、他の実施形態に含まれることができ、または他の実施形態の対応する構成または特徴と置き換えできる。特許請求の範囲において明示的な引用関係がない請求項を結合して実施形態を構成するか、または出願後の補正により新たな請求項に含めることができることは自明である。
【０１８６】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は、１つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどにより具現できる。
【０１８７】
ファームウエアやソフトウェアによる具現の場合、本発明の一実施形態は、以上で説明された機能または動作を行うモジュール、手続、関数などの形態で具現されることができる。ソフトウェアコードは、メモリに記憶（貯蔵）されてプロセッサにより駆動されることができる。上記メモリは、上記プロセッサの内部または外部に位置し、既に公知の多様な手段により上記プロセッサとデータをやり取りすることができる。
【０１８８】
本発明は、本発明の必須の特徴を逸脱しない範囲で他の特定の形態で具体化できることは、通常の技術者にとって自明である。したがって、前述した詳細な説明は、全ての面で制限的に解釈されてはならず、例示的なものとして考慮されなければならない。本発明の範囲は、添付した請求項の合理的な解釈により決定されなければならず、本発明の等価的な範囲内における全ての変更は、本発明の範囲に含まれる。
【産業上の利用可能性】
【０１８９】
本発明の無線通信システムにおいてページングのための制御情報を送受信する案は、３ＧＰＰ  ＬＴＥ／ＬＴＥ−Ａシステム、５Ｇシステム（Ｎｅｗ  ＲＡＴシステム）に適用される例を中心に説明したが、これ以外にも様々な無線通信システムに適用されることが可能である。
【図１】
2020536454.tif 000047
【図２】
2020536454.tif 000048
【図３】
2020536454.tif 000049
【図４】
2020536454.tif 000050
【図５】
2020536454.tif 000051
【図６】
2020536454.tif 000052
【図７】
2020536454.tif 000053
【図８】
2020536454.tif 000054
【図９】
2020536454.tif 000055
【図１０】
2020536454.tif 000056
【図１１】
2020536454.tif 000057
【図１２】
2020536454.tif 000058
【図１３】
2020536454.tif 000059
【国際調査報告】
2020536454.tif 000060
2020536454.tif 000061
2020536454.tif 000062
2020536454.tif 000063